(57)【要約】      （修正有）【課題】膜構造体を簡素な構造で壁面や曲面部に簡単に取り付けることができ、コスト的にも有利な膜構造取付体を提供する。【解決手段】袋状に立体造形された膜構造体１を壁面Ｗに取り付けるものである。膜構造体は、例えば商業施設などの建物の壁面に広告宣伝用に設けられるもので、膜構造体の外側面部に台板２を取着させ、台板を壁面にビスや螺子などの簡易な固定手段３により取り付ける。膜構造体には、送風機Ｆが取り付けられており、内部に外気を常に送風して膜構造体を袋状に膨らませる。【選択図】図１
0003191331.tif 000002
【実用新案登録請求の範囲】
【請求項１】
袋状に立体造形された膜構造体を壁面に取り付ける膜構造取付体において、
前記膜構造体の外側面部に台板を取着させ、前記台板を前記壁面に取り付ける固定手段を設け、
前記固定手段は、前記台板に設けられた軸部と、該軸部の先端から基端部に向けて延出し、前記軸部に対して離接方向に拡縮変形可能な弾性羽根と、
前記壁面に埋設され、内部にスプリングを設置し、先端部にフランジを有する筒状体を備え、
前記弾性羽根を縮径させ、前記スプリングの付勢力に抗しながら前記筒状体に配し、解放することで前記弾性羽根が拡開し、前記弾性羽根の先端を前記スプリングの付勢力により前記フランジに抜止め状態に当接させて取り付けたことを特徴とする膜構造取付体。
【請求項２】
袋状に立体造形された膜構造体を壁面に取り付ける膜構造取付体において、
前記壁面に上下に向けて取り付けられた筒状部と、
前記膜構造体の外側面部に取着された台板と、
前記台板に、前記筒状部に対応するように設けられた棹部と、
前記棹部の下端部の左右両側に上下回動可能に設けられた第１係止辺と、
前記第１係止辺に当接して前記第１係止辺の下方回動を阻止するピンと、
前記第１係止辺をピンに当接する方向に付勢する付勢部材と、
前記棹部の上端に設けられた第２係止辺とを備え、
前記第１係止辺を前記付勢部材の付勢力に抗して上方回動させた状態で、前記棹部を前記筒状部内に挿通し、前記第１係止辺が前記筒状部の外部に出たところで、前記第１係止辺を前記付勢部材の付勢力により下方回動させ、前記筒状部の下端に当接可能状態にさせ、前記棹部に対する上方への抜け止めを成すとともに、第２係止辺を前記筒状部の上端に当接させて位置保持することを特徴とする膜構造取付体。
【請求項３】
袋状に立体造形された膜構造体を壁面に取り付ける膜構造取付体において、
前記壁面に上下に向けて取り付けれた筒状部と、
前記膜構造体の外側面部に取着された台板と、
前記台板に前記筒状部に対応して設けられ、下端に弾性拡縮変形可能な引掛部を有する棹部と、
前記棹部の上端に設けられた第２係止辺とを備え、
前記引掛部に弾性収縮変形を伴わせながら、前記棹部を前記筒状部内に挿通し、前記引掛部が前記筒状部の外部に出たところで、前記引掛部を弾性回復させて前記筒状部の下端に当接させ、前記棹部に対する上方への抜け止めを成すとともに、前記第２係止辺を前記筒状部の上端に当接させて位置保持することを特徴とする膜構造取付体。
【請求項４】
袋状に立体造形された膜構造体を壁面に取り付ける膜構造取付体において、
下方に行くに連れて相互間の距離が狭まるように前記壁面に配列されて水平辺と垂直辺とから成り、前記垂直辺に長手方向に第１歯列部を形成した断面鉤状の左右一対の支持辺部と、
前記膜構造体の外側面部に取着された台板と、
前記台板に上下に指向して左右一対に並置され、前記第１歯列部に対応する第２歯列部を形成した弾性材製の長辺部とを備え、
前記長辺部は、上端部に設けられた固定ピンにより前記台板に固定され、前記固定ピンを中心にして左右に弾性回動変形可能となっており、
前記長辺部を内側に若干だけ弾性回動変形させた状態で、前記長辺部を前記支持辺部に沿わせて解放し、前記第２歯列部を前記第１歯列部に弾性係合させることにより、前記長辺部を抜け止め状態に位置保持したことを特徴とする膜構造取付体。
【請求項５】
袋状に立体造形された膜構造体を曲面部に取り付ける膜構造取付体において、
前記膜構造体の下端部で、径方向に沿って弾性的に拡縮変形可能に設けられた開口部を備え、前記開口部を前記曲面部の径小部に嵌め込むことにより、前記膜構造体を前記曲面部に位置保持したことを特徴とする膜構造取付体。
【請求項６】
袋状に立体造形された膜構造体を曲面部に取り付ける膜構造取付体において、
膜構造体の下端部で、径方向に沿って弾性的に拡縮変形可能に設けられた開口部と、
一端を前記膜構造体の左内側部に接合し、他端を前記膜構造体の右内側部に接合した索条体を通した環状で可撓性の首輪部を前記開口部に沿って設け、前記首輪部を前記曲面部の径小部に嵌め込み、前記膜構造体を膨らませることにより、前記索条体の両端が引張られて前記首輪部を前記径小部に巻き締まらせることを特徴とする膜構造取付体。
【請求項７】
袋状に立体造形された膜構造体を曲面部に取り付ける膜構造取付体において、
膜構造体の下端部で、径方向に沿って弾性的に拡縮変形可能に設けられた開口部と、
前記開口部に連結され、薄手の弾性材から径方向に拡縮可能に形成された袋状筒体とを備え、
前記膜構造体を前記曲面部に装着する際、前記袋状筒体を拡開した状態で、前記曲面部被せて放すことにより、前記袋状筒体が自らの弾性収縮力で前記曲面部を締め付けるようにして密着状態に装着されることを特徴とする膜構造取付体。
【考案の詳細な説明】
【技術分野】
【０００１】
本考案は、内側から膨らませて袋状に立体造形された膜構造体に係り、とりわけ膜構造体を壁面や曲面部に取り付ける構造に改良を加えた膜構造取付体に関する。
【背景技術】
【０００２】
袋状に膨らませた立体造形を維持させる膜構造体としては、特許文献１に軟式膜構造体として知られ、特許文献２に着用ぬいぐるみとして開示され、特許文献３に仮装用衣装として記載されている。
軟式膜構造体では、内面に弾性層を貼り付け、その復元力で立体造形を持たせ、送風機や送風ダクトを不要にして全体の軽量化を図っている。着用ぬいぐるみでは、着用者が送気ユニットを付けたままエアバッグ内へ入り、送風口からの空気をエアバッグに絶えず送ってバルーン状に膨らませている。仮装用衣装では、上体部と下体部とが一対になったサンタクロースの外観を呈する衣装を構成している。着用衣装の左襟部と右襟部とに面ファスナーを取り付け、エアポンプのオン操作により空気を送って衣装を膨らませている。
【先行技術文献】
【特許文献】
【０００３】
【特許文献１】特開２０００−２３１３５１号公報
【特許文献２】実開平５−３３７８１号公報
【特許文献３】実用新案登録第３１１１９５８号公報
【考案の概要】
【考案が解決しようとする課題】
【０００４】
特許文献１の軟式膜構造体は、ワイヤなどで吊り下げたり、内部に錘を入れて地上に設置する他、壁や梁の側面に取り付けるものである。特許文献２の着用ぬいぐるみや特許文献３の仮装用衣装は、着用者が内部へ自ら入って立体状に膨らませるものである。
軟式膜構造体などを広告宣伝の媒体として建物の壁面や装着部の曲面部などに取り付けたい場合があるが、特許文献１〜３のいずれにも、膜構造体を壁面や曲面部に取り付ける具体的な取付構造が開示されていない。このため、膜構造体を簡素な構造で壁面や曲面部に簡単に取り付けられる取付構造の登場が望まれていた。
【０００５】
本考案は上記事情に鑑みてなされたもので、その目的は、膜構造体を簡素な構造で壁面や曲面部に簡単に取り付けることができ、取付作業性が向上し、併せてコスト的にも有利な膜構造取付体を提供することにある。
【課題を解決するための手段】
【０００６】
（請求項１について）
袋状に立体造形された膜構造体を壁面に取り付ける膜構造取付体において、膜構造体の外側面部に台板を取着させ、台板を壁面に取り付ける固定手段を設けている。
固定手段は、台板に設けられた軸部と、該軸部の先端から基端部に向けて延出し、軸部に対して離接方向に拡縮変形可能な弾性羽根とを有する。さらに、壁面に埋設され、内部にスプリングを設置し、先端部にフランジを有する筒状体が設けられている。
弾性羽根を縮径させ、スプリングの付勢力に抗しながら筒状体に配し、解放することで弾性羽根が拡開し、弾性羽根の先端をスプリングの付勢力によりフランジに抜止め状態に当接させて取り付ける。
請求項１では、弾性羽根を縮径させ、スプリングの付勢力に抗しながら筒状体に配するといったワンタッチ操作で、台板を壁面にで迅速に取り付けることができる。このため、膜構造体を簡素な構造で壁面に簡単に取り付けることができ、取付作業性が向上し、併せてコスト的にも有利である。
【０００７】
（請求項２について）
袋状に立体造形された膜構造体を壁面に取り付ける膜構造取付体において、筒状部は、壁面に上下に向けて取り付けられている。台板は、膜構造体の外側面部に取着されている。棹部は、台板に筒状部に対応して設けられている。第１係止部は、棹部の下端部の左右両側に上下回動可能に設けられている。ピンは、第１係止部に当接して第１係止部の下方回動を阻止する。付勢部材は、第１係止部をピンに当接する方向に付勢する。第２係止部は、棹部の上端に設けられている。
第１係止部を付勢部材の付勢力に抗して上方回動させた状態で、棹部を筒状部内に挿通する。第１係止部が筒状部の外部に出たところで、第１係止部を付勢部材の付勢力により下方回動させ、筒状部の下端に当接可能状態にさせ、棹部に対する上方への抜け止めを成す。第２係止部は、筒状部の上端に当接して棹部を位置保持する。
【０００８】
請求項２では、取付手段を台板、棹部および筒状部から構成し、膜構造体を壁面に取り付ける際、棹部を筒状部内に挿通し、第１係止部を筒状部の下端に当接可能状態にさせ、第２係止部を筒状部の上端に当接させる。このため、膜構造体を簡素な構造で壁面に簡単に取り付けることができ、取付作業性が向上し、併せてコスト的にも有利である。
【０００９】
（請求項３について）
袋状に立体造形された膜構造体を壁面に取り付ける膜構造取付体において、筒状部は、壁面に上下に向けて取り付けられている。台板は、膜構造体の外側面部に取着されている。棹部は、台板に筒状部に対応して設けられている。棹部の下端に弾性拡縮変形可能な引掛部を設けている。第２係止部は、棹部の上端に設けられている。
引掛部に弾性収縮変形を伴わせながら、棹部を筒状部内に挿通し、引掛部が筒状部の外部に出たところで、引掛部を弾性回復させて筒状部の下端に当接させ、棹部に対する抜け止めを成す。第２係止部は、筒状部の上端に当接させて棹部を位置保持する。
【００１０】
請求項３では、取付手段を台板、筒状部および引掛部を有する棹部から構成し、膜構造体を壁面に取り付ける際、棹部を筒状部内に挿通し、引掛部および第２係止部を筒状部の下端および上端に当接させる。このため、膜構造体を簡素な構造で壁面に簡単に取り付けることができ、取付作業性が向上し、併せてコスト的にも有利である。
【００１１】
（請求項４について）
袋状に立体造形された膜構造体を壁面に取り付ける膜構造取付体において、壁面に配列された断面鉤状の左右一対の支持辺部は、下方に行くに連れて相互間の距離が狭まるようになっており、水平辺および垂直辺から成り、垂直辺は長手方向に第１歯列部を形成している。台板は、膜構造体の外側面部に取着されている。長辺部は、台板に上下に指向して左右一対に並置され、第１歯列部に対応する第２歯列部を形成している。
長辺部は、上端部に設けられた固定ピンにより台板に固定され、固定ピンを中心にして左右に弾性回動変形可能となっている。
長辺部を内側に若干だけ弾性回動変形させた状態で、長辺部を支持辺部に沿わせて解放する。これにより、第２歯列部を第１歯列部に弾性係合させて、長辺部を抜け止め状態に位置保持する。
【００１２】
請求項４では、取付手段を台板、支持辺部、長辺部および固定ピンから構成し、膜構造体を壁面に取り付ける際、長辺部を内側に若干だけ弾性回動変形させた状態で、長辺部を支持辺部に沿わせて解放し、第２歯列部を第１歯列部に弾性係合させている。これにより、膜構造体を簡素な構造で壁面に簡単に取り付けることができ、取付作業性が向上し、併せてコスト的にも有利である。
【００１３】
（請求項５について）
袋状に立体造形された膜構造体を曲面部に取り付ける膜構造取付体において、膜構造体の下端部で、径方向に沿って弾性的に拡縮変形可能に設けられた開口部を備えている。
開口部を曲面部の径小部に嵌め込むことにより、膜構造体を曲面部に位置保持している。
【００１４】
請求項５では、取付手段を弾性的に拡縮変形可能に設けられた開口部から構成し、膜構造体を曲面部に取り付ける際、開口部を曲面部の径小部に嵌め込む。このため、膜構造体を簡素な構造で曲面部に簡単に取り付けることができ、装着作業性が向上し、併せてコスト的にも有利である。
【００１５】
（請求項６について）
袋状に立体造形された膜構造体を曲面部に取り付ける膜構造取付体において、膜構造体の下端部で、径方向に沿って弾性的に拡縮変形可能に設けられた開口部を備えている。一端を膜構造体の左内側部に接合し、他端を膜構造体の右内側部に接合した索条体を通した環状で可撓性の首輪部を開口部に沿って設けている。首輪部を曲面部の径小部に嵌め込み、膜構造体を膨らませることにより、索条体の両端が引張られて首輪部を径小部に巻き締まらせるようになっている。
【００１６】
請求項６では、取付手段を弾性的に拡縮変形可能に設けられた開口部および索条体を通した環状の首輪部から構成し、膜構造体を曲面部に取り付ける際、首輪部を曲面部の径小部に嵌め込み、膜構造体を膨らませて径小部に巻き締める。このため、膜構造体を簡素な構造で曲面部に簡単に取り付けることができ、装着作業性が向上し、併せてコスト的にも有利である。
【００１７】
（請求項７について）
袋状に立体造形された膜構造体を曲面部に取り付ける膜構造取付体において、膜構造体の下端部で、径方向に沿って弾性的に拡縮変形可能に設けられた開口部と、開口部に連結され、薄手の弾性材から径方向に拡縮可能に形成された袋状筒体とを備え、
膜構造体を曲面部に装着する際、袋状筒体を拡開した状態で、曲面部に被せて放すことにより、袋状筒体が自らの弾性収縮力で曲面部を締め付けるようにして密着状態に装着される。
【００１８】
請求項７では、袋状筒体を拡開した状態で、曲面部に被せて放すといった簡単な操作で曲面部に装着することができる。このため、膜構造体を簡素な構造で曲面部に簡単に取り付けることができ、装着作業性が向上し、併せてコスト的にも有利である。
【図面の簡単な説明】
【００１９】
【図１】（ａ）は膜構造体の斜視図、（ｂ）は膜構造体の正面図、（ｃ）は膜構造体の取付状態を示す縦断面図である（実施例１）。
【図２】（ａ）は弾性羽根を筒状体に装着する前の状態を示す分解縦断面図、（ｂ）は弾性羽根を筒状体に装着した状態を示す縦断面図である（実施例２）。
【図３】（ａ）は壁面に固定した筒状部の斜視図、（ｂ）は棹部の正面図、（ｃ）は棹部および筒状部を示す正面図である（実施例３）。
【図４】（ａ）は壁面に固定した筒状部の斜視図、（ｂ）は引掛部を形成した棹部の正面図、（ｃ）は棹部および筒状部を示す正面図である（実施例４）。
【図５】（ａ）は支持辺部を示す斜視図、（ｂ）は支持辺部および長辺部を示す正面図、（ｃ）は長辺部と支持辺部とが係合した状態を示す正面図、（ｄ）は（ｃ）のＥ−Ｅ線に沿う断面図である（実施例５）。
【図６】（ａ）、（ｂ）は膜構造体をヘルメットに装着した状態を示す正面図である（実施例６）。
【図７】（ａ）は膜構造体をヘルメットに装着した状態を示す正面図、（ｂ）は要部の拡大図である（実施例７）。
【図８】（ａ）は膜構造体をヘルメットに装着する前の状態を示す正面図、（ｂ）は膜構造体をヘルメットに装着した状態を示す正面図である（実施例８）。
【実施例】
【００２０】
〔実施例１の構成〕
図１は本考案の実施例１を示す。
本考案に係る膜構造取付体では、図１（ａ）に示すように、袋状に立体造形された膜構造体１を壁面Ｗに取り付けるものである。膜構造体１は、例えば商業施設などの建物の壁面Ｗに広告宣伝用に設けられるもので、膜構造体１の外側面部に台板２を取着させ、図１（ｂ）、（ｃ）に示すように、平坦な台板２を壁面Ｗにビスや螺子などの固定手段３により取り付けている。膜構造体１には、送風機Ｆが取り付けられており、内部に外気を常に送風して膜構造体１を袋状に膨らませている。
袋状の膜構造体１は、ナイロン繊維、ポリエステル繊維あるいは綿繊維などの薄手の織布を立体造形物として膨らませたものである。薄手の織布の外表面には、アクリルやビニールなどの合成樹脂によりコーティングを施してもよい。膜構造体１は、ビニール素材や樹脂フィルムなど繊維布以外の素材であってもよい。
【００２１】
実施例１では、膜構造体１を壁面Ｗに取り付ける際、台板２を壁面Ｗにビスや螺子などの固定手段３で取り付けることができる。このため、膜構造体１を簡素な構造で壁面Ｗに簡単に取り付けることができ、取付作業性が向上し、併せてコスト的にも有利である。
【００２２】
〔実施例２の構成〕
図２は本考案の実施例２を示す。
実施例２では、図２（ａ）に示すように、固定手段としては、台板２に設けられた軸部２ａと、該軸部２ａの先端から基端部に向けて延出し、軸部２ａに対して離接方向に拡縮変形可能な複数の弾性羽根２ｂとを有する。さらに、壁面Ｗに埋設され、内部に圧縮コイルスプリング２ｃを設け、先端部にフランジ２ｄを有する筒状体２ｅとが設けられている。
【００２３】
膜構造体１を壁面Ｗに取り付けるにあたっては、先ず弾性羽根２ｂを縮径させておき、この状態で、図２（ｂ）に示すように、圧縮コイルスプリング２ｃの付勢力に抗しながら筒状体２ｅに配し、解放することで弾性羽根２ｂが拡開し、弾性羽根２ｂの先端をスプリング２ｃの付勢力によりフランジ２ｄに抜止め状態に当接させて取り付ける。
【００２４】
実施例２では、弾性羽根２ｂを縮径させ、圧縮コイルスプリング２ｃの付勢力に抗しながら筒状体２ｅに配するといったワンタッチ操作で、台板２を壁面Ｗにで迅速に取り付けることができる。このため、膜構造体１を簡素な構造で壁面Ｗに簡単に取り付けることができ、取付作業性が向上し、併せてコスト的にも有利である。
【００２５】
〔実施例３の構成〕
図３は本考案の実施例３を示す。
実施例３では、図３（ａ）に示すように、筒状部５が壁面Ｗに上下に向けて取り付けられている。棹部６は、台板２に設けられ、筒状部５に対応するように配置されている。第１係止辺７は、図３（ｂ）に示すように、棹部６の下端部の左右両側に枢支部６ａを中心にして上下回動可能に設けられている。ピン８は、第１係止辺７に当接して第１係止辺７の下方回動を阻止する。圧縮コイルスプリング９は、付勢部材として第１係止辺７をピン８に当接する方向に付勢する。第２係止辺１０は、筒状部５の上端に対応すべく棹部６の上端に設けられている。
【００２６】
第１係止辺７を圧縮コイルスプリング９の付勢力に抗して上方回動させた状態で、棹部６を筒状部５内に挿通する。第１係止辺７が筒状部５の外部に出たところで、第１係止辺７を圧縮コイルスプリング９の付勢力により下方回動させ、筒状部５の下端に当接可能状態にさせ、上方への抜け止めを成す。第２係止辺１０は、図３（ｃ）に示すように、筒状部５の上端に当接して棹部６を位置保持する。
【００２７】
実施例３では、取付手段を台板２、棹部６および筒状部５から構成し、膜構造体１を壁面Ｗに取り付ける際、棹部６を筒状部５内に挿通し、第１係止辺７を筒状部５の下端に当接可能状態にさせ、第２係止辺１０を筒状部５の上端に当接させる。
このため、膜構造体１を簡素な構造で壁面Ｗに簡単に取り付けることができ、取付作業性が向上し、併せてコスト的にも有利である。
【００２８】
〔実施例４の構成〕
図４は本考案の実施例４を示す。実施例４が実施例３と異なるところは、第１係止辺７に代わって引掛部１２を設けたことである。
実施例３では、図４（ａ）に示すように、棹部６が台板１に設けられ、筒状部５に対応するように配置されている。棹部６の下端には、図４（ｂ）に示すように、弾性拡縮変形可能な合成樹脂製の引掛部１２を設けている。引掛部１２は、上端部１２ａの幅Ｍが筒状部５の内幅寸法Ｎよりも若干大きく設定されている。第２係止辺１０は棹部６の上端に設けられている。
【００２９】
引掛部１２に弾性収縮変形を伴わせながら、棹部６を筒状部５内に挿通し、引掛部１２が筒状部５の外部に出たところで、引掛部１２を弾性回復させて筒状部５の下端に当接させ、棹部６に対する抜け止めを成す。第２係止辺１０は、図４（ｃ）に示すように、筒状部５の上端に当接させて棹部６を位置保持する。
【００３０】
実施例４では、取付手段を台板２、筒状部５および引掛部１２を有する棹部６から構成し、膜構造体１を壁面Ｗに取り付ける際、棹部６を筒状部５内に挿通し、引掛部１２および第２係止辺１０を筒状部５の下端および上端に当接させる。このため、膜構造体１を簡素な構造で壁面Ｗに簡単に取り付けることができ、取付作業性が向上し、併せてコスト的にも有利である。
【００３１】
〔実施例５の構成〕
図５は本考案の実施例５を示す。実施例５が実施例３と異なるところは、筒状部５および棹部６に代わって支持辺部１４および長辺部１５を設けたことである。
建物などの壁面Ｗには、図５（ａ）、（ｂ）に示すように、断面鉤状の左右一対の支持辺部１４が設けられている。支持辺部１４は、下方に行くに連れて相互間の距離が狭まるように配置され、水平辺１６および垂直辺１７を有し、垂直辺１７は長手方向に第１歯列部１８を形成している。長辺部１５は、台板２に上下に指向して左右一対に並置され、第１歯列部１８に対応する第２歯列部１９を形成している。
【００３２】
長辺部１５は、上端部に設けられた固定ピン２０により台板２に固定され、固定ピン２０を中心にして左右に弾性回動変形可能となっている。
長辺部１５を内側に弾性回動変形させた状態で、長辺部１５を支持辺部１４に沿わせて解放する。これにより、図５（ｃ）、（ｄ）に示すように、第２歯列部１９を第１歯列部１８に弾性係合させて、長辺部１５を抜け止め状態に位置保持する。
【００３３】
実施例５では、取付手段を台板２、支持辺部１４、長辺部１５および固定ピン２０から構成し、膜構造体１を壁面Ｗに取り付ける際、長辺部１５を内側に弾性回動変形させた状態で、長辺部１５を支持辺部１４に沿わせて解放し、第２歯列部１９を第１歯列部１８に弾性係合させている。このため、膜構造体１を簡素な構造で壁面Ｗに簡単に取り付けることができ、取付作業性が向上し、併せてコスト的にも有利である。なお、図５（ｃ）、（ｄ）では、第１歯列部１８および第２歯列部１９の明確化のため水平辺１６を省略している。
【００３４】
〔実施例６の構成〕
図６は本考案の実施例５を示す。実施例６が実施例３と異なるところは、膜構造体１を壁面Ｗに代わってヘルメットなどの曲面部２５に取り付けたことである。
実施例６では、膜構造体１は着用者Ｕの頭部に装着する広告・宣伝用のバルーンであり、バルーンの下端部で、径方向に沿って弾性的に拡縮変形可能に設けられた開口部２２を備えている。着用者Ｕは、図６（ａ）、（ｂ）に示すように、頭部にヘルメットなどの被り物を介して膜構造体１を装着する。この際、開口部２２をヘルメットなどの曲面部２５の径小部２３に嵌め込むことにより、膜構造体１を曲面部２５に位置保持している。着用者Ｕは、肩掛けストラップＳｐを用いて図示しない送風機を背負っており、スイッチ（図示せず）のオン操作により常に外気をバルーン内に送風している。
【００３５】
実施例６では、取付手段を弾性的に拡縮変形可能に設けられた開口部２２から構成し、膜構造体１を曲面部２５に取り付ける際、開口部２２を曲面部２５の径小部２３に嵌め込む。このため、膜構造体１を簡素な構造で曲面部２５に簡単に取り付けることができ、装着作業性が向上し、併せてコスト的にも有利である。
【００３６】
〔実施例７の構成〕
図７は本考案の実施例７を示す。実施例７が実施例６と異なるところは、索条体２６を通した環状の首輪部２７を開口部２２に沿って設けたことである。
実施例７では、弾性的に拡縮変形可能に設けられた開口部２２に沿って首輪部２７を設けている。ロープやワイヤなどの索条体１６は、環状で可撓性の首輪部２７に通されている。索条体１６の一端１６ａを膜構造体１の左内側部に接合し、他端１６ｂを膜構造体１の右内側部に接合している。首輪部２７を曲面部２５の径小部２３に嵌め込み、膜構造体１を膨らませることにより、索条体１６の両端１６ａ、１６ｂが引張られて首輪部２７を径小部２３に巻き締まらせるようになっている。
【００３７】
実施例７では、取付手段を弾性的に拡縮変形可能に設けられた開口部２２および索条体２６を通した環状の首輪部２７から構成し、膜構造体１を曲面部２５に取り付ける際、首輪部２７を曲面部２５の径小部２３に嵌め込み、膜構造体１を膨らませて径小部２３に巻き締める。このため、膜構造体１を簡素な構造で曲面部２５に簡単に取り付けることができ、装着作業性が向上し、併せてコスト的にも有利である。
【００３８】
〔実施例８の構成〕
図８は本考案の実施例８を示す。実施例８が実施例７と異なるところは、索条体２６に代わって、拡縮可能な袋状筒体３０を設けたことである。
袋状筒体３０は、薄手のゴムなどの弾性材から径方向に伸縮可能（拡縮可能）に形成されたもので、膜構造体１の開口部２２に連結されている。
【００３９】
膜構造体１をヘルメットなどの曲面部２５に装着するにあたっては、図８（ａ）に二点鎖線で示すように、袋状筒体３０を拡開した状態で、曲面部２５に被せて放す。これにより、袋状筒体３０は、図８（ｂ）に示すように、自らの弾性収縮力で曲面部２５を締め付けるようにして密着状態に装着される。
【００４０】
実施例８では、袋状筒体３０を拡開した状態で、曲面部２５に被せて放すといった簡単な操作で曲面部２５に装着することができる。このため、膜構造体１を簡素な構造で曲面部２５に簡単に取り付けることができ、装着作業性が向上し、併せてコスト的にも有利である。
【００４１】〔変形例〕（ａ）実施例６、７、８では、膜構造体１を広告・宣伝用のバルーンとしたが、これに限らず、各種イベントのアトラクションとして登場する着ぐるみであってもよい。（ｂ）膜構造体１を広告・宣伝用に限らず、装飾やサインポストに用いられたり、様々な用途の看板に用いてもよい。膜構造体１は「被りもの」として下記のものに応用可能である。・エア着ぐるみでは実現できない、顔を出す着ぐるみ（巨大な兜や鎧でコスプレや舞台衣装に使用するもの）、・軽い棒をエアで膨らませて形成した巨大な斧や剣（（公序良俗違反につき、不掲載）などゲームイメージを具体的に表現する）、・ジャケットやリュックサックに縫い付けて、スーツタイプのエア着ぐるみ（天使や悪魔の翼を表現する）。【００４２】
（ｃ）実施例１〜８では、送風機により膜構造体１に風を送っているので、送風を外部に漏らすための排出口や隙間は、図示はしないが、適宜の位置に設けられているものである。
【産業上の利用可能性】
【００４３】
本考案の膜構造体では、膜構造体の外側面部に台板を取着させ、台板を壁面に固定手段により取り付けている。台板を壁面に簡易な固定手段で取り付けることができるため、膜構造体を簡素な構造で壁面に簡単に取り付けることができ、コスト的にも有利である。取付け構造の簡易性に着目して需要が増大し、関連部品などの流通を介して化学・機械業界に適用することができる。
【符号の説明】
【００４４】
１          膜構造体（バルーン）
２          台板
２ａ        軸部
２ｂ        弾性羽根
２ｃ        圧縮コイルスプリング（コイルスプリング）
２ｄ        フランジ
２ｅ        筒状体
５          筒状部
６          棹部
７          第１係止辺
９          圧縮コイルスプリング（付勢部材）
１０        第２係止辺
１２        引掛部
１４        支持辺部  
１５        長辺部
１６        索条体
１６ａ      一端
１６ｂ      他端
１８        第１歯列部
１９        第２歯列部
２０        固定ピン
２２        開口部
２３        径小部
２５        曲面部
２７        首輪部
３０        袋状筒体
Ｗ          壁部
【図１】
0003191331.tif 000003
【図２】
0003191331.tif 000004
【図３】
0003191331.tif 000005
【図４】
0003191331.tif 000006
【図５】
0003191331.tif 000007
【図６】
0003191331.tif 000008
【図７】
0003191331.tif 000009
【図８】
0003191331.tif 000010
【手続補正書】
【提出日】平成26年4月16日(2014.4.16)
【手続補正１】
【補正対象書類名】明細書
【補正対象項目名】００４１
【補正方法】変更
【補正の内容】
【００４１】
〔変形例〕
（ａ）実施例６、７、８では、膜構造体１を広告・宣伝用のバルーンとしたが、これに限らず、各種イベントのアトラクションとして登場する着ぐるみであってもよい。
（ｂ）膜構造体１を広告・宣伝用に限らず、装飾やサインポストに用いられたり、様々な用途の看板に用いてもよい。膜構造体１は「被りもの」として下記のものに応用可能である。
・エア着ぐるみでは実現できない、顔を出す着ぐるみ（巨大な兜や鎧でコスプレや舞台衣装に使用するもの）、
・軽い棒をエアで膨らませて形成した巨大な斧や剣（ゲームイメージを具体的に表現する）、
・ジャケットやリュックサックに縫い付けて、スーツタイプのエア着ぐるみ（天使や悪魔の翼を表現する）。
【手続補正２】
【補正対象書類名】図面
【補正対象項目名】図６
【補正方法】変更
【補正の内容】
【図６】
0003191331.tif 000011